(57)【特許請求の範囲】
【請求項１】
導体板の上に誘電体層を介してパッチ状放射素子が平行に配置された円偏波モードを有するマイクロストリップ平面アンテナと、前記導体板の周縁に沿って並べられかつ該周縁の下に各々が縦に配置される複数の面状放射素子とが具備され、前記導体板と各面状放射素子とが電気的結合手段を介して結合されて成ることを特徴とする広角円偏波アンテナ。
【請求項２】
前記導体板の周縁に沿って並べられかつ該周縁の下に各々が縦に配置される複数の線状放射素子が具備され、各線状放射素子は前記導体板に上端を電気的に結合され、前記複数の面状放射素子と交互に分配配置されることを特徴とする請求項１に記載の広角円偏波アンテナ。
【請求項３】
前記マイクロストリップ平面アンテナの給電線にシュペルトップを備えたことを特徴とする請求項１に記載の広角円偏波アンテナ。
【請求項４】
前記マイクロストリップ平面アンテナの給電線にシュペルトップを備え、該シュペルトップに前記線状放射素子の下端を電気的に結合したことを特徴とする請求項２に記載の広角円偏波アンテナ。
【請求項５】
前記導体板の下に放射パターン歪み補正手段として導体、誘電体、あるいは電波吸収体を具備することを特徴とする請求項１、または請求項２に記載の広角円偏波アンテナ。
【発明の詳細な説明】
【０００１】
【発明の属する技術分野】
本発明は、通信分野にかかり、特に衛星を利用した携帯無線通信に有効な広角円偏波アンテナの小型化とその構成に関するものである。
【０００２】
【従来の技術】
近年、衛星を用いた携帯電話の構想が各社から提案されており、それらの周波数帯は、地上の携帯電話から衛星へは１．６ＧＨｚ帯が、衛星から地上の携帯電話へは２．４ＧＨｚ帯が割当てられている。また１．６ＧＨｚ帯では地上から衛星、衛星から地上の双方向の通信に用いる周波数帯としても割当てられる。上記の衛星通信に適用可能なアンテナとして、全方位アンテナ（特開平７−１８３７１９）が提案されており、図１２にその構成を示す。マイクロストリップ平面アンテナ（ＭＳＡ）１は給電ピン１ａ、パッチ状放射素子１ｂ、誘電体基板１ｃで構成され、そのグランドとして地導体板１ｄを下方に伸展して導体円筒１ｅを形成したことを特徴とする。通常、マイクロストリップ平面アンテナ（ＭＳＡ）１は地導体板１ｄ上に誘電体基板１ｃを介してパッチ状放射素子１ｂを平行に配置する構成を備えているが、図１２に示す全方位アンテナは地導体板１ｄの全周を下方に伸展して筒状にしたことに特徴を有する。この特徴により図１２の全方位アンテナはマイクロストリップ平面アンテナ（ＭＳＡ）１の地導体板１ｄを下方に伸展し低仰角の利得を改善するものである。
【０００３】
【発明が解決しようとする課題】
しかし、上記全方位アンテナでは、低仰角における円偏波の水平偏波成分の感度を得ることが難しく、実使用において、樹木等による垂直偏波成分の吸収で通信の感度を維持することが困難となる場合がある。
【０００４】
【課題を解決するための手段】
本発明は、上記の課題を解決するためにマイクロストリップ平面アンテナの地導体板の下方に複数の面状放射素子を配置しそれらを、地導体板に電気的に結合するものである。
【０００５】
また、本発明は、マイクロストリップ平面アンテナの地導体板の下方に複数の面状放射素子と複数の線状放射素子とを配置し、それらを地導体板と電気的に結合する。
【０００６】
さらにシュペルトップ（Ｓｐｅｒｔｏｐｆ  阻止套管）を備える。シュペルトップは、マイクロストリップ平面アンテナに給電する同軸ケーブルの外部導体の外側表面に漏洩電流を流さないようにするため、アンテナの給電点直下近傍に長さ１／４波長または１／２波長の円筒形導体を同軸線に被せ、アンテナ側を開放し、反対側を同軸ケーブルの外部導体に接続したものである。
【０００７】
【発明の実施の形態】
図１は本発明の構成の概略図であり、図において同じ部位は同じ符号で示し、１はマイクロストリップ平面アンテナ（ＭＳＡ）、１ａはＭＳＡの給電ピン、１ｂはＭＳＡのパッチ状放射素子、１ｃはＭＳＡの誘電体基板、１ｄはＭＳＡの地導体板、２は電気的結合手段、３は面状放射素子、４は誘電体円筒（支持円筒）、５は給電点、６は給電線（同軸線，同軸ケーブル）である。
【０００８】
ＭＳＡ１は誘電体基板１ｃの比誘電率・寸法等のパラメータ、誘電体基板１ｃへ貼付するパッチ状放射素子１ｂの寸法、給電ピン１ａの位置等を適切に設計することにより、円形や４辺形等の形で所望の周波数で円偏波アンテナとして動作する。ただし、共振周波数と給電ピン１ａの位置によるインピーダンス整合は面状放射素子の形状や配置、電気的結合手段に依存するので注意を要する。給電ピン１ａの位置によるインピーダンス整合は給電線６の特性インピーダンス（通常５０Ω）に合わせるため誘電体基板１ｃの中心からオフセットさせなくてはならない。このオフセットによって、高周波電流の乱れが生じ放射パターンが歪む。図１は本発明の実施形態であって、ＭＳＡ１の動作周波数は約１．６ＧＨｚである。円形の誘電体基板１ｃに円形のパッチ状放射素子１ｂを貼付したものである。ＭＳＡ１の地導体板１ｄを略同径の誘電体円筒４で支持し、誘電体円筒４の全周囲の曲面形状に沿って湾曲する同じ４枚の面状放射素子３をそれぞれに間隔を開けて均等に貼付した。面状放射素子３はこのように湾曲させるだけでなく、湾曲させないことも可能である。その枚数は好ましくは４枚以上で構成すべきである。また誘電体基板１ｃの厚さと面状放射素子３の縦方向の寸法とはほぼ等しくすると良い。面状放射素子３が分配配置される面がＭＳＡ１と略同径の円周上である点は全方位に放射パターンを得るためには重要である。そして地導体板１ｄと各面状放射素子３とは線材（電気的結合手段２）で電気的に結合した。地導体板１ｄはＭＳＡ１と面状放射素子３の共通の地導体となっている。
【０００９】
誘電体基板１ｃは比誘電率約２０、直径約３０ｍｍ、厚さ約１０ｍｍ、誘電体円筒４は比誘電率約４、直径３０ｍｍ、高さ２０ｍｍである。誘電体基板１ｃの厚さと面状放射素子３の縦方向の寸法とははぼ等しくしてある。本アンテナは面状放射素子３の横方向に沿って流れる高周波電流の働きにより、ＭＳＡ１の低仰角における水平偏波成分の感度を向上させ、縦方向に沿って流れる高周波電流の働きにより垂直偏波成分の感度を向上させる。図１２の従来技術では、垂直偏波成分の感度は向上するが、水平方向には高周波電流が流れにくく、低仰角では軸比が大きくなっていた。
【００１０】
本発明の実施形態では４枚の面状放射素子３を長方形にし、誘電体円筒４側面の同一円周上に配置したが、所望の衛星通信システムの衛星軌道や衛星高度等の形態にあわせて、図２、図３などに代表される面状放射素子を自由に組み合わせることを制限するものではない。図２は面状放射素子の代表的な基本形状例で（ａ）横長の長方形、（ｂ）縦長の長方形、（ｃ）正方形、（ｄ）三角形である。図３は面状放射素子の代表的な変形形状例で、（ａ）〜（ｅ）凸凹形状、（ｆ）傾斜形状、（ｇ）（ｈ）山切り形状、（ｉ）（ｊ）面のくり抜き、（ｋ）ラジアル形状である。また図４、図５、図６に示すような各種電気的結合手段の構成例と図２、図３の各種面状放射素子を任意に組み合わせることが可能である。図４（ａ）（ｂ）（ｃ）は電気的結合手段２の面状放射素子３との接続位置の例である。図５は電気的結合手段（電気的結合部）２の結合形式を示し（ａ）は線材による直流的接続、（ｂ）は容量性素子による容量的接続、（ｃ）は誘導性素子による誘導的接続である。図６（ａ）〜（ｅ）は電気的結合手段２の幅と長さを異ならせた例である。図２〜図６に示す面状放射素子と電気的結合手段とは所望のアンテナ放射パターンを得るために設計事項として任意に選択し組合せが可能で、設計の自由度が非常に大きい。
【００１１】
また、図７（ａ）（ｂ）は給電線との相互作用による放射パターンの歪みを補正する手段を設けた例で、（ａ）は広角円偏波アンテナの側断面図、（ｂ）は広角円偏波アンテナを下から見た誘電体円筒４内を示す図である。補正手段として楕円状の導体７を用いてこれに給電線６を通している。なお、図面上、誘電体円筒４の曲面に添付する面状放射素子３と電気的結合手段２は省略してある。（ｃ）は放射パターンの歪み補正に関するその他の例で、給電線６を誘電体８で囲っている。
【００１２】
図７（ｃ）の例は携帯無線機との組合せにおいて、広角円偏波アンテナを携帯無線機筺体から接離自在な構成とする場合、筺体から離れた所定距離に広角円偏波アンテナを携帯無線機筺体に対して支持固定する手段として利用できる。そのような例を図８に示す。
【００１３】
図８は本発明の広角円偏波アンテナを携帯無線機に取り付けた構成例を示すもので携帯無線機筺体９に給電線内蔵の誘電体８が引き出し／引き込み自在に構成されている。１０は携帯無線機回路を示す。誘電体８の先端には本発明の広角円偏波アンテナの実施形態例が具備される。本例では弾性体を用いた例を示す。誘電体８はスプリング１１内にあり、引き出し時（８（ａ）参照）にはスプリング１１の弾発力により誘電体８が広角円偏波アンテナを筺体９から離れた所定位置に支持固定する。また誘電体８の引き込み時（図８（ｂ）参照）は、広角円偏波アンテナが携帯無線機筺体９近傍にロック手段（不図示）にて固定される。
【００１４】
図９〜図１１に本発明の実施形態広角円偏波アンテナの測定例を示す。
【００１５】
図１３は本発明の広角円偏波アンテナの他の実施形態を示す。図１と同一部位には同一符号を示す。図１３のアンテナに関し図１のアンテナに備えられていない構成は、線状放射素子１２とシュペルトップ１３である。シュペルトップ１３は同軸線６に導体円筒１３ａを被せて構成される。そして同軸線６と導体円筒１３ａとはＭＳＡ１側が開放され、反対側端部１３ｂで同軸線６の外部導体を導体円筒１３ａに接続し短絡させている。このように構成されたシュペルトップ１３の電気的な長さは略１／４波長または略１／２波長である。
【００１６】
４本の線状放射素子１２は電気的に略１／４波長とし、誘電体円筒４の側面に４枚の面状放射素子３と交互に配列され、一端を地導体板１ｄに電気的に結合し、他端を導体円筒１３ａの表面に電気的に接続している。このように図１３の実施形態では面状放射素子３に加えて、線状放射素子１２を有した複合放射素子構造を構成するものである。
【００１７】
図１３の実施形態においては、誘電体基板１ｃは比誘電率約２９、直径２８ｍｍ，厚さ１０ｍｍ、また誘電体円筒４は比誘電率約６．５のセラミック（フォルステライト）、直径２８ｍｍ，高さ２０ｍｍ、肉厚２ｍｍである。線状放射素子１２はφ０．６ｍｍの針金を用いている。シュペルトップ１３の導体円筒１３ａは外径φ６ｍｍである。同軸線６は外形φ２．２ｍｍのセミリジットケーブルを使用しており、一端で中心導体を給電ピン１ａに接続し、他端にはコネクタ１５を備える。面状放射素子３は縦１０ｍｍ、幅１５ｍｍ、電気的結合手段２は縦５ｍｍ、幅２ｍｍである。シュペルトップ１３は面状放射素子３に重ならなぬよう面状放射素子３よりも下に設けてある。
【００１８】
図１３の広角円偏波アンテナは面状放射素子３の横方向に沿って流れる高周波電流の働きによりＭＳＡ１の低仰角における水平偏波成分の感度を向上させ、面状放射素子３の縦方向に沿って流れる高周波電流及び線状放射素子１２に沿って流れる高周波電流の働きによりＭＳＡ１の低仰角における垂直偏波成分の感度を向上させる。
【００１９】
以上のように本発明の他の実施形態では４枚の面状放射素子を長方形にし、誘電体円筒４の側面の同一円周上に配置したが、所望の衛星通信システムの衛星軌道や衛星高度等の形態にあわせて、面状放射素子３の形状を自由に組み合わせることを制限するものではない。また線状放射素子１２及びシュペルトップ１３についてもその長さや結合位置により軸比や利得を制御することが可能である。
【００２０】
図１４は図１３のアンテナの低仰角における放射特性図で、（ａ）は垂直偏波成分、（ｂ）は水平偏波成分を示す。
【００２１】
図１５は本発明のさらに他の実施形態を示す広角円偏波アンテナの断面図で、他の図面と同一の部位には同一符号を付してある。本実施形態は図１に示すアンテナの誘電体円筒４内に放射パターン歪み補正手段として電波吸収体１４を充填したものである。４枚の面状放射素子３の内側で電波吸収体１４は給電線６と面状放射素子３との相互干渉を緩和する。この結果、水平偏波成分と垂直偏波成分の放射パターンがほぼ均一になる。図１６は図１３のアンテナにおいて誘電体円筒４内に面状放射素子３の高さ位置まで電波吸収体を充填してその垂直偏波成分と水平偏波成分を測定した結果で、図１４に示した電波吸収体を充填していない実施形態と比べてその効果の高さは一目瞭然である。
【００２２】
【発明の効果】
本発明によれば、低仰角における円偏波の水平偏波成分の感度を得ることができ、実使用において樹木等による垂直偏波成分の吸収によっても通信の感度を維持することが可能である。
【図面の簡単な説明】
【図１】本発明の実施形態を説明する広角円偏波アンテナの構成図。
【図２】（ａ）〜（ｄ）は本発明の実施形態を示す面状放射素子の代表的な基本形状例図。
【図３】（ａ）〜（ｋ）は本発明の実施形態を示す面状放射素子の代表的な変形形状例図。
【図４】（ａ）〜（ｃ）は本発明の実施形態を示す電気的結合手段による地導体板と面状放射素子との電気的結合位置を示す例図。
【図５】（ａ）〜（ｃ）は本発明の実施形態を示す電気的結合手段による地導体板と面状放射素子との電気的結合方式を示す例図で、（ａ）は線材による直流的結合図、（ｂ）は容量性素子を用いた容量的結合図、（ｃ）は誘導性素子を用いた誘導的結合図。
【図６】（ａ）〜（ｅ）は本発明の実施形態を示す地導体板と面状放射素子とを電気的に結合する電気的結合手段の長さと幅に関する例図。
【図７】本発明の実施形態を示す（ａ）は広角円偏波アンテナに放射パターンの歪み補正手段を設けた側断面図、（ｂ）は（ａ）を下方から見た図。（ｃ）は放射パターンの歪みの補正手段を給電線の近傍に設けた広角円偏波アンテナ側断面図。
【図８】本発明の広角円偏波アンテナを携帯無線機に搭載した例で、（ａ）は携帯無線機筺体に広角円偏波アンテナを離した位置に保持する様子を示す給電線を筺体外に引き出した図、（ｂ）は携帯無線機筺体に広角円偏波アンテナを近傍位置で保持する様子を示す給電線を筺体内に引き入れた図。
【図９】本発明の実施形態広角円偏波アンテナに関し（ａ）は複共振を示すスミスチャート例、（ｂ）はＶＳＷＲ例。
【図１０】本発明の実施形態広角円偏波アンテナを低仰角が水平偏波となる位置関係で放射パターンを測定した例。
【図１１】本発明の実施形態広角円偏波アンテナを低仰角が垂直偏波となる位置関係で放射パターンを測定した例。
【図１２】従来の技術を説明する図。
【図１３】本発明の他の実施形態を説明する広角円偏波アンテナの図。
【図１４】図１３のアンテナの低仰角における放射特性図で、（ａ）は垂直偏波成分、（ｂ）は水平偏波成分を示す図。
【図１５】本発明の他の実施形態を示す図。
【図１６】図１３のアンテナに電波吸収体を充填したアンテナ放射特性図で、（ａ）は垂直偏波成分、（ｂ）は水平偏波成分を示す図。
【符号の説明】
１：マイクロストリップ平面アンテナ（ＭＳＡ）
１ａ：給電ピン          １ｂ：パッチ状放射素子
１ｃ：誘電体基板（誘電体層）    １ｄ：地導体板（地導体）
１ｅ：導体円筒（従来例）
２：電気的結合手段（電気的結合部）
３：面状放射素子
４：誘電体円筒
５：給電点
６：給電線（同軸線，同軸ケーブル）
７：楕円状の導体（放射パターン歪み補正手段）
８：誘電体（放射パターン歪み補正手段）
９：携帯無線機筺体
１０：携帯無線機回路
１１：スプリング（弾性手段）
１２：線状放射素子
１３：シュペルトップ
１３ａ：導体円筒
１４：電波吸収体（放射パターン歪み補正手段）
１５：コネクタ
【図１】
0003720581.tif 000002
【図２】
0003720581.tif 000003
【図３】
0003720581.tif 000004
【図４】
0003720581.tif 000005
【図５】
0003720581.tif 000006
【図６】
0003720581.tif 000007
【図７】
0003720581.tif 000008
【図８】
0003720581.tif 000009
【図９】
0003720581.tif 000010
【図１０】
0003720581.tif 000011
【図１１】
0003720581.tif 000012
【図１２】
0003720581.tif 000013
【図１３】
0003720581.tif 000014
【図１４】
0003720581.tif 000015
【図１５】
0003720581.tif 000016
【図１６】
0003720581.tif 000017